(57)【特許請求の範囲】
【請求項１】
粉末を計量して排出するための粉末計量排出具にして、
粉末を収容した容器に装着される本体、該本体に装着される計量部材、及び該本体に装着される蓋部材を具備し、
該本体は円筒壁を有し、該円筒壁には少なくとも１個の流通開口が形成され、該円筒壁の外周面上端部には雄螺条が形成され、該円筒壁の内周面には拘束手段が形成されており、
該計量部材は該本体の該円筒壁の内径よりも小さい外径を有する有底円筒壁を有し、該有底円筒壁の上部には少なくとも１個の流入開口が形成され、該有底円筒壁の外周面には被拘束手段が形成されており、
該蓋部材は天面壁及び該天面壁から垂下するスカート壁を有し、該スカート壁の内周面には雌螺条が形成され、該天面壁の内面には少なくとも下端部は該有底円筒壁の上部内周面より若干内側に位置する外周縁を有する少なくとも１個の摺り切り片と共に該本体の該円筒壁の上部内周面よりも内側に位置し、該有底円筒壁の内周面よりも外側に位置する外周縁を有する少なくとも１個の押し下げ片が付設されており、
該計量部材は、該流入開口と該流通開口とを軸線方向において少なくとも部分的に整合せしめて、該本体内に配設され、該被拘束手段が該拘束手段に当接せしめられる上昇位置に弾性手段によって弾性的に偏倚され、該上昇位置においては該流入開口の下端が該流通開口の上端よりも上方に位置し、
該蓋部材は、該スカート壁の該雌螺条を該本体の該雄螺条に螺合せしめて該本体に装着され、該摺り切り片は該計量部材の該有底円筒壁内に進入せしめられて下端が該流入開口の下端に整合して位置し、該押し下げ片は該計量部材の上端縁に作用して該弾性手段の弾性偏倚作用に抗して該有底円筒壁を下降位置に強制し、該下降位置においては該流入開口の下端が該流通開口の上端よりも下方に位置する、
ことを特徴とする粉末計量排出具。
【請求項２】
該摺り切り片と該押し下げ片とは該天面壁から垂下する垂下片として一体に形成されており、該垂下片の上部が該押し下げ片を構成し該垂下片の下部が該摺り切り片を構成する、請求項１記載の粉末計量排出具。
【請求項３】
該垂下片は中心軸線から等角度間隔をおいて放射状に複数個形成されている、請求項２記載の粉末計量排出具。
【請求項４】
該計量部材の該有底円筒壁の底下面には該弾性手段が一体に形成されており、該弾性手段は該底下面から下方に延びる螺旋状弾性部と該弾性部の先端に連結された環状部とから構成されており、該本体の該円筒壁の内周面下部には半径方向内方に突出する突条が形成されており、該弾性手段の該環状部が該突条に当接せしめられ、下方への移動が拘束される、請求項１から３までのいずれかに記載の粉末計量排出具。
【請求項５】
該流通開口及び該流入開口は、夫々、周方向に等間隔をおいて複数個形成されている、請求項１から４までのいずれかに記載の粉末計量排出具。
【請求項６】
該本体の該拘束手段は該円筒壁の内周面における該流通開口よりも上方に配設された下方を向いた環状肩面から構成され、該計量部材の該被拘束手段は該有底円筒壁の外周面における該流入開口の下端に整合せしめて或いはこれより下方に配設された環状突起から構成されている、請求項１から５までのいずれかに記載の粉末計量排出具。
【請求項７】
該計量部材の該環状突起には周方向に少なくとも一つの凹部が形成されており、該円筒壁の内周面には周方向に少なくとも一つの凸部が形成され、該凸部は軸線方向に延びており、該凸部と該凹部との協働によって該本体に対する該計量部材の回転が阻止される請求項６記載の粉末計量排出具。
【発明の詳細な説明】
【技術分野】
【０００１】
本発明は、粉末ココアの如き粉末を収容した容器に適用される、粉末を計量して排出するための粉末計量排出具に関する。
【背景技術】
【０００２】
下記特許文献１には、容器に収容されている内容物を計量して排出することができる計量排出具が開示されている。この計量排出具は中栓、計量カップ及び開閉板付きキャップから構成されており、開閉板を閉位置にせしめた状態で容器を倒立状態にせしめると、計量カップ内に内容物が進入する。容器を正立状態に戻した後に開閉板を開動せしめると計量カップ内が容器内と遮断され、従って計量カップ内に進入した内容物のみを排出することができる。
【０００３】
また、下記特許文献２にも、容器に収容されている内容物を計量して排出することができる計量排出具が開示されている。この計量排出具は板底部材、注出キャップ、作動部材、押し込み部材及び外キャップから構成されており、外キャップを上昇せしめると作動部材が上昇せしめられ、これによって底板部材と注出キャップとによって区画された計量室内と容器内との連通を阻止していた弁手段が解放され、従って容器を倒立せしめることによって計量室内に内容物が進入する。次いで、外キャップを離脱せしめて押し込み部材を操作して作動部材を押し下げると、計量室内と外部とを阻止していた弁手段が下降され、従って計量室内に進入した内容物のみを排出することができる。
【先行技術文献】
【特許文献】
【０００４】
【特許文献１】実願昭６１−１０９０７１号のマイクロフィルム
【特許文献２】特許第４７５３２３３号公報
【発明の概要】
【発明が解決しようとする課題】
【０００５】
而して、上記特許文献１に開示されているとおりの計量排出具には、特に容器の内容物が粉末である場合、計量カップ内に進入した内容物を適切に排出することができない、計量カップ内に進入する内容物量を充分精密に規制することができない、という問題がある。また、上記特許文献２に開示されている通りの計量排出具には、容器の内容物が粉末である場合、計量室内に適切に粉末を進入せしめることができず、そしてまた計量室内に侵入した粉末を排出することが実質上不可能である、という問題がある。
【０００６】
本発明は上記事実に鑑みてなされたものであり、その主たる技術的課題は、粉末を収容した容器に適用され、容器内の粉末を適切に計量して排出することができる、新規且つ改良された粉末計量排出具を提供することである。
【課題を解決するための手段】
【０００７】
本発明によれば、上記主たる技術的課題を達成する粉末計量排出具として、粉末を計量して排出するための粉末計量排出具にして、
粉末を収容した容器に装着される本体、該本体に装着される計量部材、及び該本体に装着される蓋部材を具備し、
該本体は円筒壁を有し、該円筒壁には少なくとも１個の流通開口が形成され、該円筒壁の外周面上端部には雄螺条が形成され、該円筒壁の内周面には拘束手段が形成されており、
該計量部材は該本体の該円筒壁の内径よりも小さい外径を有する有底円筒壁を有し、該有底円筒壁の上部には少なくとも１個の流入開口が形成され、該有底円筒壁の外周面には被拘束手段が形成されており、
該蓋部材は天面壁及び該天面壁から垂下するスカート壁を有し、該スカート壁の内周面には雌螺条が形成され、該天面壁の内面には少なくとも下端部は該有底円筒壁の上部内周面より若干内側に位置する外周縁を有する少なくとも１個の摺り切り片と共に該本体の該円筒壁の上部内周面よりも内側に位置し、該有底円筒壁の内周面よりも外側に位置する外周縁を有する少なくとも１個の押し下げ片が付設されており、
該計量部材は、該流入開口と該流通開口とを軸線方向において少なくとも部分的に整合せしめて、該本体内に配設され、該被拘束手段が該拘束手段に当接せしめられる上昇位置に弾性手段によって弾性的に偏倚され、該上昇位置においては該流入開口の下端が該流通開口の上端よりも上方に位置し、
該蓋部材は、該スカート壁の該雌螺条を該本体の該雄螺条に螺合せしめて該本体に装着され、該摺り切り片は該計量部材の該有底円筒壁内に進入せしめられて下端が該流入開口の下端に整合して位置し、該押し下げ片は該計量部材の上端縁に作用して該弾性手段の弾性偏倚作用に抗して該有底円筒壁を下降位置に強制し、該下降位置においては該流入開口の下端が該流通開口の上端よりも下方に位置する、
ことを特徴とする粉末計量排出具が提供される。
【０００８】
好ましくは、該摺り切り片と該押し下げ片とは該天面壁から垂下する垂下片として一体に形成されており、該垂下片の上部が該押し下げ片を構成し該垂下片の下部が該摺り切り片を構成する。該垂下片は中心軸線から等角度間隔をおいて放射状に複数個形成されているのが好都合である。該計量部材の該有底円筒壁の底下面には該弾性手段が一体に形成されており、該弾性手段は該底下面から下方に延びる螺旋状弾性部と該弾性部の先端に連結された環状部とから構成されており、該本体の該円筒壁の内周面下部には半径方向内方に突出する突条が形成されており、該弾性手段の該環状部が該突条に当接せしめられ、下方への移動が拘束されるのが好適である。該流通開口及び該流入開口は、夫々、周方向に等間隔をおいて複数個形成されているのが好都合である。該本体の該拘束手段は該円筒壁の内周面における該流通開口よりも上方に配設された下方を向いた環状肩面から構成され、該計量部材の該被拘束手段は該有底円筒壁の外周面における該流入開口の下端に整合せしめて或いはこれより下方に配設された環状突起から構成されているのが好ましい。該計量部材の該環状突起には周方向に少なくとも一つの凹部が形成されており、該円筒壁の内周面には周方向に少なくとも一つの凸部が形成され、該凸部は軸線方向に延びており、該凸部と該凹部との協働によって該本体に対する該計量部材の回転が阻止されるのが好都合である。
【発明の効果】
【０００９】
本発明の粉末計量排出具によれば、蓋部材を本体に所要とおりに装着した状態において容器を倒立せしめると、流通開口及び流入開口を通して容器内の粉末が計量部材と蓋部材との間に規定される空間に進入する。そして、容器を正立状態に戻した後に、蓋を開口回転方向に回転せしめると、計量部材における流入開口の下端縁を超えてこれよりも上方に存在する過剰な粉末が摺り切り片の作用によって摺り切られ、流入開口及び流通開口を通して容器内に戻される。この際には、蓋部材と共に計量部材も弾性手段の弾性偏倚作用によって上昇せしめられる故に、適切な摺り切り作用が継続して遂行される。蓋部材を更に開方向に回転せしめると、蓋部材の上昇と共に計量部材も上昇せしめられ、流入開口の下端が流通開口の上端よりも上方に位置するようになり、計量部材における流入開口よりも下方の空間に存在する適切に計量された粉末が容器内に戻ることが阻止され、それと共に排出時に容器内に残る粉末が出てくることも阻止される。従って、蓋部材を本体から離脱せしめると、計量部材内に存在する適切に計量された粉末のみを排出することができる。
【図面の簡単な説明】
【００１０】
【図１】本発明に従って構成された粉末計量排出具の好適実施形態を示す分解斜面図。
【図２】図１の粉末計量排出具における本体を、一部を断面で示す正面図。
【図３】図２の本体を示す底面図。
【図４】図１の粉末計量排出具における計量部材を、一部を断面で示す正面図。
【図５】図４の線Ｖ−Ｖにおける断面図。
【図６】図１の粉末計量排出具における蓋部材を、一部を断面で示す正面図。
【図７】図６の蓋部材の底面図。
【図８】図１に示す粉末計量排出具の断面図。
【図９】図１に示す粉末計量排出具を、蓋部材を本体から離脱した状態で示す断面図。
【発明を実施するための形態】
【００１１】
以下、本発明に従って構成された粉末計量排出具の好適実施形態を図示している添付図面を参照して、更に詳細に説明する。
【００１２】
図１を参照して説明すると、本発明に従って構成された粉末計量排出具は、本体２、計量部材４及び蓋部材６から構成されている。これらの本体２、計量部材４及び蓋部材６は適宜の合成樹脂から成形することができ、例えば本体２はポリエチレンから、計量部材４及び蓋部材６はポリプロピレンから成形することができる。
【００１３】
図１と共に図２及び図３を参照して説明すると、本体２は円筒壁８を備えている。この円筒壁８には少なくとも１個、好ましくは複数個（図示の実施形態においては４個）、の流通開口１０が形成されている。図示の実施形態においては実質上同一形状の流通開口１０が等角度間隔をおいて形成されており、流通開口１０の各々は円筒壁８の下端部から上方に延在する縦長矩形状である。円筒壁８の外周面上端部には後述する蓋部材６に形成される雌螺条と協働する雄螺条１２が形成されている。円筒壁８の内周面には後述する計量部材４に形成される被拘束手段と協働する拘束手段１４が配設されている。図示の実施形態における拘束手段１４は流通開口１０の上端よりも幾分上方に位置する、下方を向いた環状肩面１６から構成され、円筒壁８は環状肩面１６より上方の縮径内周面１７ａと環状肩面１６より下方の拡径内周面１７ｂから構成されている。円筒壁８の内周面下端部には円筒壁８の半径方向内方に突出する上面が略水平な環状突条１８が形成されている。勿論、計量部材４が本体２内に保持可能であれば、肩面１６及び突条１８は環状に限らず弧状等であっても良い。また、円筒壁８の内周面において隣接する２個の流通開口１０間には後述する計量部材４に形成される凹部と協働する凸部２０が形成されている。図２を参照することにより明確に理解される如く、凸部２０は流通開口１０の軸線方向略中間部より上記肩面１６まで軸線方向に延在せしめられている。更に円筒壁８の外周面には流通開口１０と雄螺条１２の間に容器接続手段２２が配設されている。本体２をパウチの開口部に接続するための容器接続手段２２自体は本発明に従って構成された粉末計量排出具の新規な特徴を構成するものではなく、当業者には周知の形態でよく、それ故に本明細書においてはその詳細な説明を省略する。
【００１４】
図１と共に図４及び図５を参照して説明すると、計量部材４は本体２の円筒壁８の内径よりも小さい外径を有する有底円筒壁２４を備えている。この有底円筒壁２４には少なくとも１個、好ましくは複数個（図示の実施形態においては４個）、の流入開口２６が形成されている。図示の実施形態においては実質上同一形状の流入開口２６が等角度間隔をおいて形成されており、流入開口２６の各々は有底円筒壁２４の上端部から下方に延在する矩形状である。有底円筒壁２４の外周面には本体２に形成されている上記拘束手段１４と協働する被拘束手段２８が形成されている。図示の実施形態における被拘束手段２８は流入開口２６の下端に対応した位置から半径方向外方に水平に突出する環状突起３０から構成されている。所望ならば環状突起３０は流入開口２６の下端よりも幾分下方に配設されることもできる。環状突起３０の外周面には、本体２に形成されている上記凸部２０と協働する凹部３２が等角度間隔をおいて複数個、図示の実施形態においては４個、形成されている。所望ならば、本体２に凹部を形成しこれと協働する凸部を計量部材に形成することもできる。また、図示の実施形態においては、有底円筒壁２４の底下面に弾性手段３４が一体に形成されている。この弾性手段３４は、有底円筒壁２４の底下面より下方に延びる螺旋状弾性部３６とこの螺旋状弾性部３６の先端に形成された環状部３８から構成されている。図示の実施形態において、螺旋状弾性部３６は１８０度の間隔をおいて配設された２個の螺旋形状片から構成されている。螺旋状弾性部３６の自然長は、計量部材４を後述通りにして本体２内に配設した際の有底円筒壁２４の上昇位置及び下降位置の双方において有底円筒壁２４を上方に弾性偏倚作用する長さであるのが好都合である。環状部３８の外径は本体２の円筒壁８の拡径内周面１７ｂの内径より幾分小さく且つ環状突条１８で規定される内径よりも幾分大きい。図示の実施形態においては、弾性手段３４は計量部材４と一体に形成されているが、所望ならば弾性手段３４と計量部材４を別体に成形してもよい。
【００１５】
計量部材４の有底円筒壁２４における流入開口２６の下端よりも下方の部分は所謂計量室３９を構成する。即ち、後に更に言及する如く、有底円筒壁２４における流入開口２６の下端よりも下方の空間である計量室３９のみに流入粉末が制限されて計量され、かように計量された粉末が排出される。
【００１６】
図１と共に図６及び図７を参照して説明を続けると、蓋部材６は円形天面壁４０及びこの天面壁４０の外周縁から垂下する円筒形スカート壁４２から構成される。スカート壁４２の内周面には本体２に形成された雄螺条１２と協働する雌螺条４４が形成されている。天面壁４０の内面には摺り切り片４６及び押し下げ片４８が形成されていることが重要である。図示の実施形態においては、天面壁４０の内面から垂下する複数個、図示の実施形態においては４個、の垂下片５０が形成されている。垂下片５０の各々は天面壁４０の内面から下方に垂下すると共に、図７の底面図で明確に示されているように、直径方向に延在せしめられ、中心軸線から等角度間隔をおいて夫々放射状に延出している。垂下片５０の各々の下部が摺り切り片４６を構成し、垂下片５０の各々の上部が押し下げ片４８を形成する。垂下片５０の下部即ち摺り切り片４６の外周縁は計量部材４の有底円筒壁２４の上部内周面より若干内側に位置し、垂下片５０の上部即ち押し下げ片４８の外周縁は本体２の円筒壁８の上部内周面よりも内側に位置し、有底円筒壁２４の内周面よりも外側に位置する。図示の実施形態においては、摺り切り片４６と押し下げ片４８は一体で垂下片５０として形成されているが、所望ならば摺り切り片４６と押し下げ片４８を別体で形成してもよい。また、摺り切り片４６は、蓋部材６の中心から有底円筒壁２４の内周面近傍まで延びる矩形或いは曲面からなる板状片であっても良い。また押し下げ片４８を摺り切り片４６の外側に環状或いは弧状に形成しても良い。更に、スカート壁４２の外周面には蓋部材６に指の滑りを防止するためのナール５２が形成されている。
【００１７】
更に詳述すると、摺り切り片４６は蓋部材６が本体２に装着された際に計量部材４の有底円筒壁２４内に進入せしめられて、摺り切り片４６の下端が流入開口２６の下端に整合するような長さに形成されている。押し下げ片４８は計量部材４の上端縁に作用して弾性手段３４の弾性偏倚作用に抗して計量部材４を下降位置に強制した際に、流入開口２６の下端が流通開口１０の上端よりも下方に位置するような長さに形成されている。
【００１８】
次に図１と共に図８及び図９を参照して上述した粉末計量排出具の使用様式について説明する。図示の粉末計量排出具においては、容器に適用する前に本体２、計量部材４及び蓋部材６が所用どおりに組み合わされる。
【００１９】
上記組み合わせに際し、先ず本体２の内部に計量部材４を配置する。即ち、最初に計量部材４の凹部３２と本体２の凸部２０を整合せしめて有底円筒壁２４及び螺旋状弾性部３６を本体２の円筒壁８の下端から挿入せしめ、次いで環状部３８を幾分変形せしめながら円筒壁８の下端に形成されている環状突条１８を通過させる。環状突条１８を通過した環状部３８が環状突条１８の上面に位置せしめられると、弾性手段３４の弾性偏倚作用によって有底円筒壁２４が上方に偏倚され、被拘束手段２８である環状突起３０が拘束手段１４である環状肩面１６と協働する上昇位置（図９参照）に弾性的に保持される。かかる状態において、凸部２０と凹部３２との協働によって本体２に対して計量部材４が円筒壁８内で回転することが阻止される。計量部材４の流入開口２６の下端は本体２の流通開口１０の上端よりも上方に位置し、流通開口１０と流入開口２６とは遮断されている。
【００２０】
上記本体２と計量部材４との組み合わせに続いて、蓋部材６を組み合わせる。即ち、本体２の円筒壁８内に垂下片５０を進入させて蓋部材６を本体２に被嵌し、蓋部材６の雌螺条４４を本体２の雄螺条１２に螺合せしめる。かくすると、蓋部材６の押し下げ片４８が計量部材４の有底円筒壁２４の上端縁に当接し、弾性手段３４の弾性偏倚作用に抗して有底円筒壁２４を下降位置（図８参照）に下降せしめる。この下降位置においては、計量部材４の流入開口２６の下端が本体２の流通開口１０の上端よりも下方に位置し、流通開口１０と流入開口２６は連通せしめられる。
【００２１】
上述した通りに組み合わされた粉末計量排出具は、本体２に形成された容器接続手段２２が粉末を収容後或いは収容前に合成樹脂フィルム製パウチでよい容器５４の開口部に加熱溶着の如き適宜の様式によって接続される。
【００２２】
容器５４内に収容されている粉末を消費する際には、粉末計量排出具が接続された容器５４を倒立状態にせしめ、本体２の流通開口１０および計量部材４の流入開口２６を通して粉末計量排出具内、更に詳しくは倒立状態にある本体２の上半部と蓋部材６によって規定される空間内に粉末を導入する。しかる後に、粉末計量排出具を正立状態に戻す。かくすると、本体２と蓋部材６とにより規定される空間の容積が有底円筒壁２４の上記計量室３９の容積よりも大きいため、粉末は計量室３９の容積を超えて、即ち計量部材４における流入開口２６の下端を超えて存在する。しかる後、蓋部材６を開方向（図８において上方から見て反時計方向）に回転せしめて雄螺条１２と雌螺条４４との螺合を漸次解除せしめる。かくすると蓋部材６の回転に伴って天面壁４０の内面に形成された摺り切り片４６を伴う垂下片５０も同方向に回転せしめられる。これにより計量部材４における流入開口２６の下端縁を超えてこれよりも上方に存在する過剰な粉末は弾性手段３４の弾性偏倚作用、凸部２０と凹部３２の協働による回転制限作用及び摺り切り片４６の作用によって摺り切られ、流入開口２６及び流通開口１０を通して容器５４内に戻され、かくして計量部材４の計量室３９には所定量の粉末が残留せしめられる。上記螺合解除が進行すると押し下げ片４８も漸次上昇せしめられる。その際、有底円筒壁２４は弾性手段３４の弾性偏倚作用により上方に弾性的に偏倚せしめられている故に有底円筒壁２４の上端縁と押し下げ片４８の下端との当接は継続して維持され、上記摺り切り作用は継続して遂行される。この際、有底円筒壁２４は環状突起３０の外周面に形成された凹部３２と円筒壁８の内周面に形成された凸部２０との協働により周方向への回転が制限されるため、計量部材４が蓋部材６と共に円筒壁８内で回転せしめられることはない。凸部２０は肩面１６から軸線方向下方に少なくとも、蓋部材６が所要通りに装着された状態における凹部３２の下降位置まで延びることが望ましい。有底円筒壁２４の上昇により流入開口２６の下端が流通開口１０の上端よりも上方に位置するようになり、これによって流入開口２６と流通開口１０との連通が遮断される。本体２から蓋部材６が離脱されると、弾性手段３４による弾性偏倚作用によって有底円筒壁２４が更に上昇し、環状突起３０の上面が円筒壁８の内周面に形成された環状肩面１６に当接し、かかる当接によって流入開口２６と流通開口１０との連通が一層確実に遮断され、計量部材４の計量室３９内の粉末が容器５４内に戻ることが確実に阻止される。しかる後においては、粉末計量排出具及び容器５４を傾動することによって、計量部材４内に存在する計量された粉末を排出することができる。この際、粉末計量排出具及び容器５４を傾動せしめても、計量部材４は弾性手段３４により上昇位置に維持されており、この上昇位置においては、流通開口１０と流入開口２６との連通は阻止されているので容器５４内の粉末が計量室３９に進入することはない。計量された適切量の粉末を排出した後は、蓋部材６を本体２に再度装着し、容器５４を密封することができる。
【００２３】
以上、本発明に従って構成された粉末計量排出具の好適実施形態について添付図面を参照して詳細に説明したが、本発明に従って構成された粉末計量排出具はパウチ以外の形態の容器にも適用することができる。
【符号の説明】
【００２４】
２：本体
４：計量部材
６：蓋部材
８：円筒壁
１０：流通開口
１４：拘束手段
１６：肩面
１８：突条
２０：凸部
２４：有底円筒壁
２６：流入開口
２８：被拘束手段
３０：突起
３２：凹部
３４：弾性手段
３６：螺旋状弾性部
３８：環状部
３９：計量室
４０：天面壁
４２：スカート壁
４６：摺り切り片
４８：押し下げ片
５０：垂下片
５４：容器
【図１】
0005905780.tif 000002
【図２】
0005905780.tif 000003
【図３】
0005905780.tif 000004
【図４】
0005905780.tif 000005
【図５】
0005905780.tif 000006
【図６】
0005905780.tif 000007
【図７】
0005905780.tif 000008
【図８】
0005905780.tif 000009
【図９】
0005905780.tif 000010